【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
システムであって、
各々が対応する１又は複数の電気化学電池と接続されて当該１又は複数の電気化学電池から入力信号を受けるように構成された複数のブーストコンバータであって、当該複数のブーストコンバータの各々は前記対応する１又は複数の電気化学電池から受けた前記入力信号の電圧を出力信号へと増幅するように構成され、前記出力信号は同時に共通の負荷に供給される、複数のブーストコンバータと、
前記複数のブーストコンバータの各々に関連付けられており、当該関連付けられたブーストコンバータが前記入力信号を増幅する前に、当該関連付けられたブーストコンバータの前記入力信号の電流を検知するように構成された電流センサと、
前記複数のブーストコンバータの各々に関連付けられており、前記関連付けられた電流センサによって検知された前記電流に応じて前記関連付けられたブーストコンバータの電圧増幅を調整するように構成され、前記調整は、前記負荷からの要求に基づいて検知された前記電流が増加するに従って、前記増幅を減少させる、コントローラと、を備え、
前記複数のブーストコンバータ及びそれらの各々に関連付けられた前記複数のコントローラは相互に独立しており、前記複数のブーストコンバータは、前記入力信号の前記電流が平衡へと向かうように、相互に独立して動作する、
システム。
【請求項２】
各電流センサは、前記対応する入力信号の前記電流を誘導によって検知するように構成されている請求項１のシステム。
【請求項３】
各電流センサは、前記対応する入力信号の前記電流を抵抗の方法によって検知するように構成されている請求項１のシステム。
【請求項４】
各コントローラは、前記出力信号の電圧に応じて前記ブーストコンバータの前記増幅を調整するように更に構成されている請求項１のシステム。
【請求項５】
請求項１のシステムであって、
各コントローラが、
固定基準電圧を受け付け、
前記電流センサによって検知された前記電流に応じて前記固定基準電圧を電圧基準へと調整し、
前記出力電圧に応じて前記電圧基準を電流基準へと調整し、
前記電流センサによって検知された前記電流に応じて前記電流基準を前記電流基準に対応するエラー出力へと調整する、ように更に構成されている、
システム。
【請求項６】
前記固定基準電圧は、前記１又は複数の電気化学電池から受け付ける請求項５のシステム。
【請求項７】
各コントローラは、
前記電流センサによって検知された前記電流を前記電流に対応する電圧へと変換し、
前記電流に対応する前記電圧を、前記電流及び前記固定基準電圧に対応する減電圧へと変更し、
前記固定基準電圧から前記減電圧を減じる、ことによって前記固定基準電圧を調整するように構成されている、
請求項５のシステム。
【請求項８】
前記電圧の変更は、前記電流に対応する前記電圧を、前記固定基準電圧及び前記出力電圧に応じて減少させることを含む請求項７のシステム。
【請求項９】
各コントローラは、ソフトウェア電圧調整を減じることによって前記固定基準電圧を調整するように更に構成されている請求項７のシステム。
【請求項１０】
前記ソフトウェア電圧調整は、ユーザ入力として受け付けられる請求項９のシステム。
【請求項１１】
前記電流に対応する前記減電圧を時間的に遅延させることを更に含む請求項７のシステム。
【請求項１２】
各コントローラは、
固定基準電圧に応じた前記出力電圧を変更出力電圧として変更し、
前記固定基準電圧から前記変更出力電圧を減じる、ことによって前記出力電圧に応じて前記電圧基準を調整するように更に構成されている、
請求項５のシステム。
【請求項１３】
各コントローラは、
前記電流センサによって検知された前記電流を前記電流に対応する電圧へと変換し、
前記電流基準から前記電流に対応する前記電圧を減じる、ことによって前記電流基準を調整するように更に構成されている、
請求項５のシステム。
【請求項１４】
各コントローラは、前記電流に対応する前記電圧からソフトウェア電流調整を減じることによって前記電流基準を調整するように更に構成されている請求項１３のシステム。
【請求項１５】
前記ソフトウェア電流調整は、ユーザ入力として受け付けられる請求項１４のシステム。
【請求項１６】
各ブーストコンバータは、パルス幅変調器を備え、各コントローラは、前記電流基準に対応する前記エラー出力を前記パルス幅変調器へと受け付けることによって前記ブーストコンバータの前記増幅を調整するように構成されている請求項５のシステム。
【請求項１７】
前記複数のブーストコンバータの各々は、複数の電気化学電池から前記入力信号を受ける請求項１のシステム。
【請求項１８】
前記電気化学電池は、金属空気電池を備える請求項１７のシステム。
【請求項１９】
前記１又は複数の電気化学電池は、電圧バスに並列に接続される請求項１のシステム。
【請求項２０】
前記複数のブーストコンバータは、更に、前記出力信号の前記電圧が平衡へと向かうように、相互に独立して動作する請求項１のシステム。
【請求項２１】
システムであって、
共通の負荷に接続する複数の電源モジュールを備え、各電源モジュールは、
１又は複数の電気化学電池と、
前記１又は複数の電気化学電池から受けた入力信号の電圧を出力信号へと増幅するように構成され、前記出力信号は同時に前記共通の負荷に供給される、ブーストコンバータと、
前記ブーストコンバータが前記入力信号を増幅する前に、前記入力信号の電流を検知するように構成された電流センサと、
前記電流センサによって検知された前記電流に応じて前記ブーストコンバータの電圧増幅を調整するように構成され、前記調整は、前記負荷からの要求に基づいて検知された前記電流が増加するに従って、前記増幅を減少させる、コントローラと、を備え、
前記複数のブーストコンバータ及びそれらの各々に関連付けられた前記複数のコントローラは相互に独立しており、前記複数のブーストコンバータは、前記入力信号の前記電流が平衡へと向かうように、相互に独立して動作する、
システム。
【請求項２２】
各電流センサは、前記対応する入力信号の前記電流を誘導によって検知するように構成されている請求項２１のシステム。
【請求項２３】
各電流センサは、前記対応する入力信号の前記電流を抵抗の方法によって検知するように構成されている請求項２１のシステム。
【請求項２４】
各電源モジュールは、複数の電気化学電池を備える請求項２１のシステム。
【請求項２５】
前記複数のブーストコンバータは、更に、前記出力信号の前記電圧が平衡へと向かうように、相互に独立して動作する請求項２１のシステム。
【請求項２６】
共通の負荷に接続された複数の電源間で電流を均一化する方法であって、前記複数の電源の各々はブーストコンバータ及び１又は複数の電気化学電池を備え、前記方法は、各電源において、
（ｉ）前記ブーストコンバータを用いて、前記１又は複数の電気化学電池から受けた入力信号の電圧を出力信号へと増幅し、
（ｉｉ）前記ブーストコンバータが前記入力信号を増幅する前に、電流センサを用いて、前記入力信号の電流を検知し、
（ｉｉｉ）前記電流センサによって検知された前記電流に応じて前記増幅の量を調整し、前記調整は、前記負荷からの要求に基づいて検知された前記電流が増加するに従って、前記増幅を減少させ、
前記複数のブーストコンバータ及びそれらの各々に関連付けられた複数のコントローラは相互に独立しており、前記増幅、検知、及び調整は、各電源において独立に、前記入力信号の前記電流が平衡へと向かうように実行される、
方法。
【請求項２７】
前記増幅、検知、及び調整は、各電源において独立に、更に、前記出力信号の前記電圧が平衡へと向かうように実行される請求項２６の方法。
【請求項２８】
各ブーストコンバータは、当該ブーストコンバータに関連付けられた前記電流センサによって検知された前記対応する入力信号を受ける入力インダクタを備える、請求項１のシステム。
【請求項２９】
各電流センサは、前記対応する入力信号の前記電流を誘導によって検知するように構成されている請求項２８のシステム。
【請求項３０】
各ブーストコンバータは、当該ブーストコンバータに関連付けられた前記電流センサによって検知された前記対応する入力信号を受ける入力インダクタを備える、請求項２１のシステム。
【請求項３１】
各電流センサは、前記対応する入力信号の前記電流を誘導によって検知するように構成されている請求項３０のシステム。
【請求項３２】
各ブーストコンバータは、当該ブーストコンバータに関連付けられた前記電流センサによって検知された前記対応する入力信号を受ける入力インダクタを備える、請求項２６の方法。
【請求項３３】
各電流センサは、前記対応する入力信号の前記電流を誘導によって検知するように構成されている請求項３２の方法。